(57)【要約】【課題】肩部に柔軟性を持たせた可撓性のカートリッジ容器内の飲料が少なくなり、容器内が負圧になっても、飲料ディスペンサの容器接続部に接続された筒口部が浮き上がらないようにすることである。【解決手段】カートリッジ容器１１の肩部１３を受ける受け部３の下側で、カートリッジ容器１１の下向きの筒口部１２に設けられた鍔１２ａの上面側を筒口部１２の両側で係止する二股状部６ａを有する差し込み部材６を筒口部１２と直角な横方向から差し込むことにより、肩部１３に柔軟性を持たせた可撓性のカートリッジ容器１１の内部の飲料が少なくなっても、容器内の負圧による肩部１３の内側への凹みによって、飲料ディスペンサの容器接続部に接続された筒口部１２が浮き上がらないようにした。【選択図】図３
2010285203.tif 000002
【特許請求の範囲】
【請求項１】
飲料ディスペンサの上面の容器接続部に筒口部を下向きに接続され、肩部に柔軟性を持たせた可撓性のカートリッジ容器の周囲を支持する壁枠を有し、この壁枠の内側下部に、前記カートリッジ容器の筒口部の周囲の肩部を受ける受け部を設けた飲料ディスペンサ用カートリッジ容器の支持具において、前記受け部の下側で、前記カートリッジ容器の下向きの筒口部の上方への移動を係止する手段を設けたことを特徴とする飲料ディスペンサ用カートリッジ容器の支持具。
【請求項２】
前記筒口部の上方への移動を係止する手段が、前記筒口部の外周に設けられた鍔または周溝を係止するものである請求項１に記載の飲料ディスペンサ用カートリッジ容器の支持具。
【請求項３】
前記鍔または周溝を係止する手段が、前記受け部の下側に、前記下向きの筒口部の両側に差し込まれる二股状部を有する差し込み部材を配置し、この差し込み部材の二股状部を、前記鍔の上側または周溝内に、筒口部と直角な横方向から差し込んで、筒口部の両側で係止するものである請求項２に記載の飲料ディスペンサ用カートリッジ容器の支持具。
【請求項４】
前記横方向から差し込まれる差し込み部材を、前記二股状部の左右両側で横方向にスライド案内するスライド案内部を設けた請求項３に記載の飲料ディスペンサ用カートリッジ容器の支持具。
【請求項５】
前記差し込み部材の左右両側に、前記スライド案内部に押圧されるバネを設けた請求項４に記載の飲料ディスペンサ用カートリッジ容器の支持具。
【請求項６】
前記差し込み部材に、前記壁枠の外側へ突出する棒状の把手を取り付けた請求項３乃至５のいずれかに記載の飲料ディスペンサ用カートリッジ容器の支持具。
【請求項７】
前記棒状の把手を、前記壁枠の外側から前記差し込み部材に着脱可能とした請求項６に記載の飲料ディスペンサ用カートリッジ容器の支持具。
【請求項８】
前記棒状の把手を、前記差し込み部材にねじで着脱可能とした請求項７に記載の飲料ディスペンサ用カートリッジ容器の支持具。
【発明の詳細な説明】
【技術分野】
【０００１】
本発明は、飲料ディスペンサに下向きに接続される可撓性のカートリッジ容器を支持する飲料ディスペンサ用カートリッジ容器の支持具に関する。
【背景技術】
【０００２】
飲料水やジュース等の飲料ディスペンサに用いられるカートリッジ容器には、側壁部を薄肉に形成して柔軟性を持たせた可撓性のものがある（例えば、特許文献１参照）。特許文献１に記載されたものでは、カートリッジ容器に飲料を充填するときに、筒口部を上向きにしたカートリッジ容器を吊り下げ支持するように、筒口部の外周に鍔や周溝を設けている。この可撓性のカートリッジ容器は、空容器を折り畳んで効率よく運送できるとともに、使用時には、充填された飲料の落下に伴って大気圧により縮み、その内部に空気が流入しないので、空気中の細菌等で汚染されない利点がある。
【０００３】
このような可撓性のカートリッジ容器は、充填された飲料を排出する筒口部を下に向けて、飲料ディスペンサの上面に設けられた容器接続部に接続され、柔軟性を持たせた側壁部が倒れないように、飲料ディスペンサの上面に枠体状の支持具を載置して、カートリッジ容器の周囲の側壁部を支持するようにしている（例えば、特許文献２参照）。特許文献２に記載された飲料ディスペンサ用カートリッジ容器の支持具は、カートリッジ容器の周囲を支持する壁枠の内側下部に、カートリッジ容器の筒口部の周囲の肩部を受ける受け部を設け、筒口部を飲料ディスペンサの容器接続部に接続するようにしている。
【先行技術文献】
【特許文献】
【０００４】
【特許文献１】特開２００６−１３１２７７号公報
【特許文献２】特開２００８−２７３６０５号公報
【発明の概要】
【発明が解決しようとする課題】
【０００５】
上述した可撓性のカートリッジ容器には、側壁部のみでなく、筒口部の周囲の肩部も薄肉に形成して柔軟性を持たせたものがある。この肩部は、周囲の側壁側へ下降傾斜する撫で肩状に形成されたものが多い。また、筒口部は、その形状によってある程度剛性を確保できるので、ＰＥＴ（ポリエチレンテレフタラート）等で形成されたカートリッジ容器では、筒口部も薄肉に形成したものもある。
【０００６】
可撓性のカートリッジ容器は、容器内の飲料が流出しても内部に空気が流入しないので、容器内の飲料が少なくなると、折り重なるように縮んだ側壁部の剛性が大きくなって、それ以上側壁部が縮まなくなり、容器内が負圧となる。
【０００７】
このとき、図６に示すように、飲料ディスペンサ２１の上面に載置された枠体状の支持具１の受け部３に下向きに支持され、肩部１３に柔軟性を持たせた可撓性のカートリッジ容器１１は、容器内の負圧によって柔軟な肩部１３が内側へ凹み、筒口部１２が浮き上がる問題がある。肩部１３を側壁部１４側へ下降傾斜する撫で肩状としたものは、この筒口部１２の浮き上がり量がより大きくなる。このように筒口部１２が浮き上がると、接続された飲料ディスペンサ２１の容器接続部２２から外れて、筒口部１２から落下する飲料が外へ漏れるようになる。
【０００８】
そこで、本発明の課題は、肩部に柔軟性を持たせた可撓性のカートリッジ容器内の飲料が少なくなり、容器内が負圧になっても、飲料ディスペンサの容器接続部に接続された筒口部が浮き上がらないようにすることである。
【課題を解決するための手段】
【０００９】
上記の課題を解決するために、本発明は、飲料ディスペンサの上面の容器接続部に筒口部を下向きに接続され、肩部に柔軟性を持たせた可撓性のカートリッジ容器の周囲を支持する壁枠を有し、この壁枠の内側下部に、前記カートリッジ容器の筒口部の周囲の肩部を受ける受け部を設けた飲料ディスペンサ用カートリッジ容器の支持具において、前記受け部の下側で、前記カートリッジ容器の下向きの筒口部の上方への移動を係止する手段を設けた構成を採用した。
【００１０】
すなわち、受け部の下側で、カートリッジ容器の下向きの筒口部の上方への移動を係止する手段を設けることにより、肩部にも柔軟性を持たせた可撓性のカートリッジ容器内の飲料が少なくなっても、容器内の負圧による肩部の内側への凹みによって、飲料ディスペンサの容器接続部に接続された筒口部が浮き上がらないようにした。
【００１１】
前記筒口部の上方への移動を係止する手段を、前記筒口部の外周に設けられた鍔または周溝を係止するものとすることにより、簡単に筒口部の浮き上がりを防止することができる。なお、係止する筒口部の鍔や周溝としては、カートリッジ容器に飲料を充填するときに、上向きにしたカートリッジ容器の筒口部を吊り下げ支持するように設けられた鍔や周溝を利用するとよい。
【００１２】
前記鍔または周溝を係止する手段は、前記受け部の下側に、前記下向きの筒口部の両側に差し込まれる二股状部を有する差し込み部材を配置し、この差し込み部材の二股状部を、前記鍔の上側または周溝内に、筒口部と直角な横方向から差し込んで、筒口部の両側で係止するものとすることができる。
【００１３】
前記横方向から差し込まれる差し込み部材を、前記二股状部の左右両側で横方向にスライド案内するスライド案内部を設けることにより、差し込み部材を安定して筒口部の両側で鍔の上側に差し込むことができる。
【００１４】
前記差し込み部材の左右両側に、前記スライド案内部に押圧されるバネを設けることにより、鍔の上側に差し込んだ差し込み部材を、ガタツキのないように固定することができる。
【００１５】
前記差し込み部材に、前記壁枠の外側へ突出する棒状の把手を取り付けることにより、壁枠の外側から受け部の下側に配置した差し込み部材を差し込み操作することができる。
【００１６】
前記棒状の把手を、前記壁枠の外側から前記差し込み部材に着脱可能とすることにより、把手を外して差し込み部材を受け部の下側へ容易に組み込むことができる。
【００１７】
前記棒状の把手を、前記差し込み部材にねじで着脱可能とすることにより、棒状の把手を壁枠の外側から差し込み部材に容易に着脱でき、かつ、差し込み部材を差し引きするときに把手が脱落しないようにすることができる。
【発明の効果】
【００１８】
本発明の飲料ディスペンサ用カートリッジ容器の支持具は、カートリッジ容器の筒口部の周囲の肩部を受ける受け部の下側で、カートリッジ容器の下向きの筒口部の上方への移動を係止する手段を設けたので、肩部にも柔軟性を持たせた可撓性のカートリッジ容器内の飲料が少なくなっても、容器内の負圧による肩部の内側への凹みによって、筒口部が浮き上がらないようにし、筒口部が飲料ディスペンサの容器接続部から外れないようにすることができる。
【図面の簡単な説明】
【００１９】
【図１】本発明に係る飲料ディスペンサ用カートリッジ容器の支持具を用いた飲料ディスペンサを示す縦断面図
【図２】図１の支持具を示す外観斜視図
【図３】ａは図２の支持具の底面図、ｂはａのIIIb−IIIb線に沿った断面図
【図４】図３（ｂ）の変形例を示す断面図
【図５】図３の差し込み部材を示す分解平面図
【図６】肩部に柔軟性を持たせた可撓性のカートリッジ容器の肩部が負圧で内側へ凹んだ状態を示す縦断面図
【発明を実施するための形態】
【００２０】
以下、図面に基づき、この発明の実施形態を説明する。図１は、本発明に係る支持具１で、可撓性のカートリッジ容器１１を支持した飲料ディスペンサ２１を示す。この飲料ディスペンサ２１は、下向きにしたカートリッジ容器１１の筒口部１２が接続される容器接続部２２が上面に設けられ、筒口部１２から容器接続部２２に流出する飲料を、注水パイプ２３からタンク２４内に落下させる。注水パイプ２３にはフロート弁２５が設けられ、タンク２４内の水位が低下すると、フロート弁２５が開けられる。容器接続部２２は、筒口部１２が下向きに差し込まれる凹部２２ａの中心に、筒口部１２に挿入される筒状突出部２２ｂを設けたものであり、筒状突出部２２ｂに、注水パイプ２３に連通する注水孔２２ｃが設けられている。
【００２１】
前記カートリッジ容器１１は、ポリエチレン樹脂等の熱可塑性樹脂で形成された角形のボトル形状とされ、筒口部１２を除く、その周囲の肩部１３、側壁部１４および底部１５が薄肉に形成されて柔軟性を持たされており、肩部１３は周囲の側壁部１４側へ下降傾斜する撫で肩状とされている。図１中に一点鎖線で示すように、内部の飲料が流出すると、柔軟性を持たせた側壁部１４が折り重なるように縮み、内部に空気が流入することはない。なお、筒口部１２の外周には、飲料を充填するときにカートリッジ容器１１を上向に吊り下げ支持するための鍔１２ａが設けられ、底部１５には、飲料ディスペンサ２１にセットするときにカートリッジ容器１１を下向きに吊り下げるための把手１６が取り付けられている。
【００２２】
前記支持具１は、図１および図２に示すように、角形のカートリッジ容器１１の周囲を囲う壁枠２と、壁枠２の下部で内側へ斜め下向きに張り出し、カートリッジ容器１１の肩部１３を受ける受け部３と、壁枠２の下端から外側に張り出し、飲料ディスペンサ２１の上面に嵌まり込むスカート部４とからなり、左右の壁枠２の外側には一対の把手５が設けられている。この支持具１は、カートリッジ容器１１内の飲料の残量を外から目視で確認できるように、透明または半透明の樹脂で形成されている。
【００２３】
図３（ａ）、（ｂ）に示すように、前記支持具１の受け部３の下側には、下方に突出するカートリッジ容器１１の筒口部１２の両側に差し込まれる二股状部６ａを有する差し込み部材６が組み込まれている。この差し込み部材６は、対向する壁枠２の下端部内側に設けられた案内溝７で両端部を案内されて、筒口部１２と直角な横方向にスライドし、鍔１２ａの上側に差し込まれて、鍔１２ａの上側面を筒口部１２の両側で係止するようになっている。差し込み部材６には、前面側の壁枠２に設けられた通し孔２ａから外側へ突出する棒状の把手８が取り付けられている。
【００２４】
図４は、前記カートリッジ容器１１を、筒口部１２も薄肉に形成されたＰＥＴ製の角形ボトルとした変形例を示す。このカートリッジ容器１１は、筒口部１２の外周に設けられた上下２つの鍔によって周溝１２ｂが形成され、差し込み部材６の二股状部６ａが周溝１２ｂ内に差し込まれて、筒口部１２の上方への移動が係止されている。
【００２５】
図５に示すように、前記差し込み部材６は、樹脂板で横長の略矩形状に形成され、中央部に二股状部６ａが形成されて、両端部に案内溝７の底に押圧される円弧状のバネ片６ｂが一体に形成されている。二股状部６ａの両側には、軽量化のための抜き孔６ｃも形成されている。また、棒状の把手８は、中央部の二股状部６ａの反対側にねじ８ａで着脱可能に取り付けられている。この把手８は、差し込み部材６を支持具１の下側から案内溝７に装着したのち、前面側の壁枠２の通し孔２ａから挿入して差し込み部材６に螺着される。
【００２６】
したがって、図６に示したように、肩部１３に柔軟性を持たせた可撓性のカートリッジ容器１１が、容器内の飲料が少なくなって、容器内の負圧によって肩部１３が内側へ凹もうとしても、筒口部１２の上方への移動が差し込み部材６で係止されるので、筒口部１２が浮き上がって、接続された飲料ディスペンサ２１の容器接続部２２から外れることはない。
【００２７】
上述した実施形態と変形例では、筒口部の上方への移動を係止する手段を、二股状部を有する差し込み部材を筒口部と直角な横方向から差し込んで、筒口部の鍔または周溝を係止するものとしたが、この筒口部の係止手段は、筒口部を挟持してその上方への移動を係止するもの等とすることもできる。
【００２８】
また、上述した実施形態と変形例では、角形で肩部が周囲の側壁部側へ下降傾斜する撫で肩状のカートリッジ容器を支持するものとしたが、本発明に係る飲料ディスペンサ用カートリッジ容器の支持具は、丸形のカートリッジ容器にも採用することができ、肩部も側壁部と直角な怒り肩状のものであってもよい。
【符号の説明】
【００２９】
１  支持具
２  壁枠
２ａ  通し孔
３  受け部
４  スカート部
５  把手
６  差し込み部材
６ａ  二股状部
６ｂ  バネ片
６ｃ  抜き孔
７  案内溝
８  把手
８ａ  ねじ
１１  カートリッジ容器
１２  筒口部
１２ａ  鍔
１２ｂ  周溝
１３  肩部
１４  側壁部
１５  底部
１６  把手
２１  飲料ディスペンサ
２２  容器接続部
２２ａ  凹部
２２ｂ  筒状突出部
２２ｃ  注水孔
２３  注水パイプ
２４  タンク
２５  フロート弁
【図１】
2010285203.tif 000003
【図２】
2010285203.tif 000004
【図３】
2010285203.tif 000005
【図４】
2010285203.tif 000006
【図５】
2010285203.tif 000007
【図６】
2010285203.tif 000008
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
飲料ディスペンサの上面の容器接続部に筒口部を下向きに接続され、肩部に柔軟性を持たせた可撓性のカートリッジ容器の周囲を支持する壁枠を有し、この壁枠の内側下部に、前記カートリッジ容器の筒口部の周囲の肩部を受ける受け部を設けた飲料ディスペンサ用カートリッジ容器の支持具において、前記受け部の下側で、前記カートリッジ容器の下向きの筒口部の上方への移動を係止する手段を設け、この筒口部の上方への移動を係止する手段を、前記受け部の下側に、前記下向きの筒口部の両側に差し込まれる二股状部を有する差し込み部材を配置し、この差し込み部材の二股状部を、前記筒口部の外周に設けられた鍔の上側または周溝内に、筒口部と直角な横方向から差し込んで、前記鍔または周溝を筒口部の両側で係止するものとし、前記横方向から差し込まれる差し込み部材を、前記二股状部の左右両側で横方向にスライド案内するスライド案内部を設け、前記差し込み部材の左右両側に、前記スライド案内部に押圧されるバネを設けたことを特徴とする飲料ディスペンサ用カートリッジ容器の支持具。
【請求項２】
飲料ディスペンサの上面の容器接続部に筒口部を下向きに接続され、肩部に柔軟性を持たせた可撓性のカートリッジ容器の周囲を支持する壁枠を有し、この壁枠の内側下部に、前記カートリッジ容器の筒口部の周囲の肩部を受ける受け部を設けた飲料ディスペンサ用カートリッジ容器の支持具において、前記受け部の下側で、前記カートリッジ容器の下向きの筒口部の上方への移動を係止する手段を設け、この筒口部の上方への移動を係止する手段を、前記受け部の下側に、前記下向きの筒口部の両側に差し込まれる二股状部を有する差し込み部材を配置し、この差し込み部材の二股状部を、前記筒口部の外周に設けられた鍔の上側または周溝内に、筒口部と直角な横方向から差し込んで、前記鍔または周溝を筒口部の両側で係止するものとし、前記差し込み部材に、前記壁枠の外側へ突出する棒状の把手を取り付けたことを特徴とする飲料ディスペンサ用カートリッジ容器の支持具。
【請求項３】
前記棒状の把手を、前記壁枠の外側から前記差し込み部材に着脱可能とした請求項２に記載の飲料ディスペンサ用カートリッジ容器の支持具。
【請求項４】
前記棒状の把手を、前記差し込み部材にねじで着脱可能とした請求項３に記載の飲料ディスペンサ用カートリッジ容器の支持具。
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
飲料ディスペンサの上面の容器接続部に筒口部を下向きに接続され、肩部に柔軟性を持たせた可撓性のカートリッジ容器の周囲を支持する壁枠を有し、この壁枠の内側下部に、前記カートリッジ容器の筒口部の周囲の肩部を受ける受け部を設けた飲料ディスペンサ用カートリッジ容器の支持具において、前記受け部の下側で、前記カートリッジ容器の下向きの筒口部の上方への移動を係止する手段を設け、この筒口部の上方への移動を係止する手段を、前記受け部の下側に、前記下向きの筒口部の両側に差し込まれる二股状部を有する差し込み部材を配置し、この差し込み部材の二股状部を、前記筒口部の外周に設けられた鍔の上側または周溝内に、筒口部と直角な横方向から差し込んで、前記鍔または周溝を筒口部の両側で係止するものとし、前記横方向から差し込まれる差し込み部材を、前記二股状部の左右両側で横方向にスライド案内するスライド案内部を設け、前記差し込み部材の左右両側に、前記スライド案内部に押圧されるバネを設けたことを特徴とする飲料ディスペンサ用カートリッジ容器の支持具。